(57)【特許請求の範囲】
【請求項１】
チャネル状態情報参照信号CSI-RSを送信するための方法であって、
基地局により、１つの物理リソースブロックPRBペアに基づいて、CSI-RSに使用される第１の設定モードを決定するステップであり、前記第１の設定モードにおいて占有されるリソースエレメントREは、前記CSI-RSに使用される少なくとも２つの第２の設定モードにおいて占有されるリソースエレメントREの全部又は一部を集約することにより取得され、前記第１の設定モードは、８個より多いCSI-RSポートのための設定モードであり、各CSI-RSポートとリソースエレメントREとの間の対応関係を含み、前記第２の設定モードは、８個のCSI-RSポートのための設定モードであり、各CSI-RSポートとリソースエレメントREとの間の対応関係を含むステップと、
前記基地局により、前記第１の設定モードを使用することにより前記CSI-RSをユーザ装置に送信するステップと
を含み、
前記第１の設定モードにおいて１２個又は１６個のCSI-RSポートが存在するときに、
基地局により、１つのPRBペアに基づいて、CSI-RSに使用される第１の設定モードを決定するステップは、
前記基地局により、集約されておらず且つ時間ドメイン又は周波数ドメイン方向で複数のRPBペアにある前記第２の設定モードにおけるREの一部又は全部を決定し、集約されていない前記REの前記一部又は全部と前記第１の設定モードにおける前記CSI-RSポートとの間の対応関係を確立するステップを含む方法。
【請求項２】
前記基地局により、前記時間ドメイン又は前記周波数ドメイン方向で複数のPRBペアに対応する第１の設定モードの総数量を決定するステップを更に含む、請求項１に記載の方法。
【請求項３】
チャネル状態情報参照信号CSI-RSを受信するための方法であって、
ユーザ装置により、基地局により第１の設定モードを使用することにより送信されたCSI-RSを受信するステップであり、前記CSI-RSに使用される前記第１の設定モードは、前記基地局により１つの物理リソースブロックRPBペアに基づいて決定され、前記第１の設定モードにおいて占有されるリソースエレメントREは、前記CSI-RSに使用される少なくとも２つの第２の設定モードにおいて占有されるリソースエレメントREの全部又は一部を集約することにより取得され、前記第１の設定モードは、８個より多いCSI-RSポートのための設定モードであり、各CSI-RSポートとリソースエレメントREとの間の対応関係を含み、前記第２の設定モードは、８個のCSI-RSポートのための設定モードであり、各CSI-RSポートとリソースエレメントREとの間の対応関係を含むステップを含み、
前記第１の設定モードにおいて１２個又は１６個のCSI-RSポートが存在するときに、
前記CSI-RSに使用される前記第１の設定モードが前記基地局により１つの物理リソースブロックRPBペアに基づいて決定されることは、
前記基地局により、集約されておらず且つ時間ドメイン又は周波数ドメイン方向で複数のRPBペアにある前記第２の設定モードにおけるREの一部又は全部を決定し、集約されていない前記REの前記一部又は全部と前記第１の設定モードにおける前記CSI-RSポートとの間の対応関係を確立することを含む方法。
【請求項４】
チャネル状態情報参照信号CSI-RSを送信するための装置であり、前記装置は基地局であり、決定モジュールと送信モジュールとを含む装置であって、
前記決定モジュールは、１つの物理リソースブロックPRBペアに基づいて、CSI-RSに使用される第１の設定モードを決定するように構成され、前記第１の設定モードにおいて占有されるリソースエレメントREは、前記CSI-RSに使用される少なくとも２つの第２の設定モードにおいて占有されるリソースエレメントREの全部又は一部を集約することにより取得され、前記第１の設定モードは、８個より多いCSI-RSポートのための設定モードであり、各CSI-RSポートとリソースエレメントREとの間の対応関係を含み、前記第２の設定モードは、８個のCSI-RSポートのための設定モードであり、各CSI-RSポートとリソースエレメントREとの間の対応関係を含み、
前記送信モジュールは、前記第１の設定モードを使用することにより前記CSI-RSをユーザ装置に送信するように構成され、
前記第１の設定モードにおいて１２個又は１６個のCSI-RSポートが存在するときに、
前記決定モジュールは、集約されておらず且つ時間ドメイン又は周波数ドメイン方向で複数のRPBペアにある前記第２の設定モードにおけるREの一部又は全部を決定し、集約されていない前記REの前記一部又は全部と前記第１の設定モードにおける前記CSI-RSポートとの間の対応関係を確立するように構成される装置。
【請求項５】
前記決定モジュールは、前記時間ドメイン又は周波数ドメイン方向で前記複数のPRBペアに対応する第１の設定モードの総数量を決定するように更に構成される、請求項４に記載の装置。
【請求項６】
チャネル状態情報参照信号CSI-RSを受信するための装置であり、前記装置はユーザ装置であり、受信モジュールと記憶モジュールとを含む装置であって、
前記受信モジュールは、基地局により第１の設定モードを使用することにより送信されたCSI-RSを受信するように構成され、
前記記憶モジュールは、前記CSI-RSを記憶するように構成され、前記CSI-RSに使用される前記第１の設定モードは、前記基地局により１つの物理リソースブロックRPBペアに基づいて決定され、前記第１の設定モードにおいて占有されるリソースエレメントREは、前記CSI-RSに使用される少なくとも２つの第２の設定モードにおいて占有されるリソースエレメントREの全部又は一部を集約することにより取得され、前記第１の設定モードは、８個より多いCSI-RSポートのための設定モードであり、各CSI-RSポートとリソースエレメントREとの間の対応関係を含み、前記第２の設定モードは、８個のCSI-RSポートのための設定モードであり、各CSI-RSポートとリソースエレメントREとの間の対応関係を含み、
前記第１の設定モードにおいて１２個又は１６個のCSI-RSポートが存在するときに、
前記CSI-RSに使用される前記第１の設定モードが前記基地局により１つの物理リソースブロックRPBペアに基づいて決定されることは、
前記基地局により、集約されておらず且つ時間ドメイン又は周波数ドメイン方向で複数のRPBペアにある前記第２の設定モードにおけるREの一部又は全部を決定し、集約されていない前記REの前記一部又は全部と前記第１の設定モードにおける前記CSI-RSポートとの間の対応関係を確立することを含む装置。
【請求項７】
チャネル状態情報参照信号CSI-RSを送信するための装置であり、前記装置は基地局であり、プロセッサと送信機とを含む装置であって、
前記プロセッサは、１つの物理リソースブロックPRBペアに基づいて、CSI-RSに使用される第１の設定モードを決定するように構成され、前記第１の設定モードにおいて占有されるリソースエレメントREは、前記CSI-RSに使用される少なくとも２つの第２の設定モードにおいて占有されるリソースエレメントREの全部又は一部を集約することにより取得され、前記第１の設定モードは、８個より多いCSI-RSポートのための設定モードであり、各CSI-RSポートとリソースエレメントREとの間の対応関係を含み、前記第２の設定モードは、８個のCSI-RSポートのための設定モードであり、各CSI-RSポートとリソースエレメントREとの間の対応関係を含み、
前記送信機は、前記第１の設定モードを使用することにより前記CSI-RSをユーザ装置に送信するように構成され、
前記第１の設定モードにおいて１２個又は１６個のCSI-RSポートが存在するときに、
前記プロセッサは、集約されておらず且つ時間ドメイン又は周波数ドメイン方向で複数のRPBペアにある前記第２の設定モードにおけるREの一部又は全部を決定し、集約されていない前記REの前記一部又は全部と前記第１の設定モードにおける前記CSI-RSポートとの間の対応関係を確立するように構成される装置。
【請求項８】
前記プロセッサは、前記時間ドメイン又は周波数ドメイン方向で前記複数のPRBペアに対応する第１の設定モードの総数量を決定するように更に構成される、請求項７に記載の装置。
【請求項９】
チャネル状態情報参照信号CSI-RSを受信するための装置であり、前記装置はユーザ装置であり、受信機とメモリとを含み、
前記受信機は、基地局により第１の設定モードを使用することにより送信されたCSI-RSを受信するように構成され、
前記メモリは、前記CSI-RSを記憶するように構成され、前記CSI-RSに使用される前記第１の設定モードは、前記基地局により１つの物理リソースブロックRPBペアに基づいて決定され、前記第１の設定モードにおいて占有されるリソースエレメントREは、前記CSI-RSに使用される少なくとも２つの第２の設定モードにおいて占有されるリソースエレメントREの全部又は一部を集約することにより取得され、前記第１の設定モードは、８個より多いCSI-RSポートのための設定モードであり、各CSI-RSポートとリソースエレメントREとの間の対応関係を含み、前記第２の設定モードは、８個のCSI-RSポートのための設定モードであり、各CSI-RSポートとリソースエレメントREとの間の対応関係を含み、
前記第１の設定モードにおいて１２個又は１６個のCSI-RSポートが存在するときに、
前記CSI-RSに使用される前記第１の設定モードが前記基地局により１つの物理リソースブロックRPBペアに基づいて決定されることは、
前記基地局により、集約されておらず且つ時間ドメイン又は周波数ドメイン方向で複数のRPBペアにある前記第２の設定モードにおけるREの一部又は全部を決定し、集約されていない前記REの前記一部又は全部と前記第１の設定モードにおける前記CSI-RSポートとの間の対応関係を確立することを含む装置。
【請求項１０】
請求項１乃至３のうちいずれか１項に記載の方法を実行するように適合されたソフトウェアコードを含むコンピュータプログラム。
【発明の詳細な説明】
【技術分野】
【０００１】
本発明の実施例は、通信技術に関し、特にチャネル状態情報参照信号（Channel  State  Information-Reference  Signal、略称CSI-RS）を送信するための方法及び装置に関する。
【背景技術】
【０００２】
ユーザ端末の数量が増加し、基地局が現在のロング・ターム・エボリューション・アドバンスト（Long  Term  Evolution  Advanced、略称LTE）  Release  12における最大で８個のCSI-RSポートのみをサポートするため、LTEシステムのスループットは比較的低い。したがって、基地局のCSI-RSポートの数量を増加することが、システムスループットを改善するための有効な手段である。
【０００３】
基地局がLTE  Release  12における８個のCSI-RSポートをサポートする場合、通常では、１つの物理リソースブロック（Physical  Resource  Block、略称PRB）ペアに対応する５個の設定モードが存在し、各設定モードは、８個のCSI-RSポートとリソースエレメント（Resource  Element、略称RE）との間の対応関係を表す。ポートとREとの間に対応する対応関係が存在する。より多くのCSI-RSポートを限られたリソースエレメント（Resource  Element、略称RE）にどのように対応付けるかが、緊急に解決される必要がある問題である。
【０００４】
従来技術では、CSI-RSポートとREとの間の対応関係についての問題は、以下の方式で解決される。ポートの数量が現在１２まで増加し、１２個のポートのシーケンス番号が0〜11である場合、８個のポートのための５個の設定モードは、或るサブフレーム内のポート0〜7に依然として使用され、他のサブフレーム内では、８個のポートのうち最初の４個のポートに対応するREは、CSI-RS信号の送信のためにポート8〜11により使用される。
【０００５】
しかし、従来技術における増加したポートは、他のサブフレーム内のみでCSI-RS信号を送信できる。その結果、ユーザ端末は適時にCSI-RS信号を受信できず、それにより、比較的低いチャネル推定効率の問題を引き起こす。さらに、チャネルの時間ドメインが大きく変化するときに、チャネル推定性能は大きく影響を受け、それにより、システム性能に影響を与える。
【発明の概要】
【０００６】
本発明の実施例は、システムスループットを改善しつつ、ユーザ端末が適時にチャネル状態情報参照信号CSI-RS信号を受信できることを確保し、それにより、チャネル推定効率を改善するための、CSI-RSを送信するための方法及び装置を提供する。
【０００７】
第１の態様によれば、本発明の実施例は、チャネル状態情報参照信号CSI-RSを送信するための方法を提供し、基地局により、１つの物理リソースブロックPRBペアに基づいて、CSI-RSに使用される第１の設定モードを決定するステップであり、第１の設定モードにおいて占有されるリソースエレメントREは、CSI-RSに使用される少なくとも２つの第２の設定モードにおいて占有されるリソースエレメントREの全部又は一部を集約することにより取得され、第１の設定モードは、８個より多いCSI-RSポートのための設定モードであり、各CSI-RSポートとリソースエレメントREとの間の対応関係を含み、第２の設定モードは、８個のCSI-RSポートのための設定モードであり、各CSI-RSポートとリソースエレメントREとの間の対応関係を含むステップと、基地局により、第１の設定モードを使用することによりCSI-RSをユーザ装置に送信するステップとを含む。
【０００８】
第１の態様を参照して、第１の態様の第１の可能な実現では、第１の設定モードにおいて１２個のCSI-RSポートが存在するときに、基地局により、１つのPRBペアに基づいて、CSI-RSに使用される第１の設定モードを決定するステップは、基地局により、ポート番号の順序に従って、第１の設定モードにおける最初の８個のCSI-RSポートが第２の設定モードのうちいずれか１つにおいて占有される全部のREを占有し、第１の設定モードにおける最後の４個のCSI-RSポートが１つ以上の他の第２の設定モードにおいて占有されるREの一部を占有すると決定するステップを含む。
【０００９】
第１の態様を参照して、第１の態様の第２の可能な実現では、第１の設定モードにおいて１６個のCSI-RSポートが存在するときに、基地局により、１つのPRBペアに基づいて、CSI-RSに使用される第１の設定モードを決定するステップは、基地局により、ポート番号の順序に従って、第１の設定モードにおける最初の８個のCSI-RSポートが第２の設定モードのうちいずれか１つにおいて占有される全部のREを占有し、第１の設定モードにおける最後の８個のCSI-RSポートが他の第２の設定モードにおいて占有される全部のREを占有するか、或いは第１の設定モードにおける最後の８個のCSI-RSポートが複数の他の第２の設定モードにおいて占有されるリソースエレメントREの一部を占有すると決定するステップを含む。
【００１０】
第１の態様を参照して、第１の態様の第３の可能な実現では、第１の設定モードにおいて１２個又は１６個のCSI-RSポートが存在するときに、基地局により、１つのPRBペアに基づいて、CSI-RSに使用される第１の設定モードを決定するステップは、基地局により、集約されておらず且つ時間ドメイン又は周波数ドメイン方向で複数のRPBペアにある第２の設定モードにおけるREの一部又は全部を決定し、集約されていないREの一部又は全部と第１の設定モードにおけるCSI-RSポートとの間の対応関係を確立するステップを含む。
【００１１】
第１の態様〜第１の態様の第３の可能な実現を参照して、第１の態様の第４の可能な実現では、方法は、基地局により、時間ドメイン又は周波数ドメイン方向で複数のPRBペアに対応する第１の設定モードの総数量を決定するステップを更に含む。
【００１２】
第２の態様によれば、本発明の実施例は、チャネル状態情報参照信号CSI-RSを受信するための方法を提供し、ユーザ装置により、基地局により第１の設定モードを使用することにより送信されたCSI-RSを受信するステップであり、CSI-RSに使用される第１の設定モードは、基地局により１つの物理リソースブロックRPBペアに基づいて決定され、第１の設定モードにおいて占有されるリソースエレメントREは、CSI-RSに使用される少なくとも２つの第２の設定モードにおいて占有されるリソースエレメントREの全部又は一部を集約することにより取得され、第１の設定モードは、８個より多いCSI-RSポートのための設定モードであり、各CSI-RSポートとリソースエレメントREとの間の対応関係を含み、第２の設定モードは、８個のCSI-RSポートのための設定モードであり、各CSI-RSポートとリソースエレメントREとの間の対応関係を含むステップを含む。
【００１３】
第２の態様を参照して、第２の態様の第１の可能な実現では、第１の設定モードにおいて１２個のCSI-RSポートが存在するときに、CSI-RSに使用される第１の設定モードが基地局により１つの物理リソースブロックRPBペアに基づいて決定されることは、基地局により、ポート番号の順序に従って、第１の設定モードにおける最初の８個のCSI-RSポートが第２の設定モードのうちいずれか１つにおいて占有される全部のREを占有し、第１の設定モードにおける最後の４個のCSI-RSポートが１つ以上の他の第２の設定モードにおいて占有されるREの一部を占有すると決定することを含む。
【００１４】
第２の態様を参照して、第２の態様の第２の可能な実現では、第１の設定モードにおいて１６個のCSI-RSポートが存在するときに、CSI-RSに使用される第１の設定モードが基地局により１つの物理リソースブロックRPBペアに基づいて決定されることは、基地局により、ポート番号の順序に従って、第１の設定モードにおける最初の８個のCSI-RSポートが第２の設定モードのうちいずれか１つにおいて占有される全部のREを占有し、第１の設定モードにおける最後の８個のCSI-RSポートが他の第２の設定モードにおいて占有される全部のREを占有するか、或いは第１の設定モードにおける最後の８個のCSI-RSポートが複数の他の第２の設定モードにおいて占有されるリソースエレメントREの一部を占有すると決定することを含む。
【００１５】
第２の態様を参照して、第２の態様の第３の可能な実現では、第１の設定モードにおいて１２個又は１６個のCSI-RSポートが存在するときに、CSI-RSに使用される第１の設定モードが基地局により１つの物理リソースブロックRPBペアに基づいて決定されることは、基地局により、集約されておらず且つ時間ドメイン又は周波数ドメイン方向で複数のRPBペアにある第２の設定モードにおけるREの一部又は全部を決定し、集約されていないREの一部又は全部と第１の設定モードにおけるCSI-RSポートとの間の対応関係を確立することを含む。
【００１６】
第３の態様によれば、本発明の実施例は、チャネル状態情報参照信号CSI-RSを送信するための装置を提供する。装置は基地局であり、決定モジュールと送信モジュールとを含み、決定モジュールは、１つの物理リソースブロックPRBペアに基づいて、CSI-RSに使用される第１の設定モードを決定するように構成され、第１の設定モードにおいて占有されるリソースエレメントREは、CSI-RSに使用される少なくとも２つの第２の設定モードにおいて占有されるリソースエレメントREの全部又は一部を集約することにより取得され、第１の設定モードは、８個より多いCSI-RSポートのための設定モードであり、各CSI-RSポートとリソースエレメントREとの間の対応関係を含み、第２の設定モードは、８個のCSI-RSポートのための設定モードであり、各CSI-RSポートとリソースエレメントREとの間の対応関係を含み、送信モジュールは、第１の設定モードを使用することによりCSI-RSをユーザ装置に送信するように構成される。
【００１７】
第３の態様を参照して、第３の態様の第１の可能な実現では、第１の設定モードにおいて１２個のCSI-RSポートが存在するときに、決定モジュールは、ポート番号の順序に従って、第１の設定モードにおける最初の８個のCSI-RSポートが第２の設定モードのうちいずれか１つにおいて占有される全部のREを占有し、第１の設定モードにおける最後の４個のCSI-RSポートが１つ以上の他の第２の設定モードにおいて占有されるREの一部を占有すると決定するように具体的に構成される。
【００１８】
第３の態様を参照して、第３の態様の第２の可能な実現では、第１の設定モードにおいて１６個のCSI-RSポートが存在するときに、決定モジュールは、ポート番号の順序に従って、第１の設定モードにおける最初の８個のCSI-RSポートが第２の設定モードのうちいずれか１つにおいて占有される全部のREを占有し、第１の設定モードにおける最後の８個のCSI-RSポートが他の第２の設定モードにおいて占有される全部のREを占有するか、或いは第１の設定モードにおける最後の８個のCSI-RSポートが複数の他の第２の設定モードにおいて占有されるリソースエレメントREの一部を占有すると決定するように具体的に構成される。
【００１９】
第３の態様を参照して、第３の態様の第３の可能な実現では、第１の設定モードにおいて１２個又は１６個のCSI-RSポートが存在するときに、決定モジュールは、集約されておらず且つ時間ドメイン又は周波数ドメイン方向で複数のRPBペアにある第２の設定モードにおけるREの一部又は全部を決定し、集約されていないREの一部又は全部と第１の設定モードにおけるCSI-RSポートとの間の対応関係を確立するように具体的に構成される。
【００２０】
第３の態様〜第３の態様の第３の可能な実現を参照して、第３の態様の第４の可能な実現では、決定モジュールは、時間ドメイン又は周波数ドメイン方向で複数のPRBペアに対応する第１の設定モードの総数量を決定するように更に構成される。
【００２１】
第４の態様によれば、本発明の実施例は、チャネル状態情報参照信号CSI-RSを送信するための装置を提供する。装置はユーザ装置であり、受信モジュールと記憶モジュールとを含み、受信モジュールは、基地局により第１の設定モードを使用することにより送信されたCSI-RSを受信するように構成され、記憶モジュールは、CSI-RSを記憶するように構成され、CSI-RSに使用される第１の設定モードは、基地局により１つの物理リソースブロックRPBペアに基づいて決定され、第１の設定モードにおいて占有されるリソースエレメントREは、CSI-RSに使用される少なくとも２つの第２の設定モードにおいて占有されるリソースエレメントREの全部又は一部を集約することにより取得され、第１の設定モードは、８個より多いCSI-RSポートのための設定モードであり、各CSI-RSポートとリソースエレメントREとの間の対応関係を含み、第２の設定モードは、８個のCSI-RSポートのための設定モードであり、各CSI-RSポートとリソースエレメントREとの間の対応関係を含む。
【００２２】
第５の態様によれば、本発明の実施例は、チャネル状態情報参照信号CSI-RSを送信するための装置を提供する。装置は基地局であり、プロセッサと送信機とを含み、プロセッサは、１つの物理リソースブロックPRBペアに基づいて、CSI-RSに使用される第１の設定モードを決定するように構成され、第１の設定モードにおいて占有されるリソースエレメントREは、CSI-RSに使用される少なくとも２つの第２の設定モードにおいて占有されるリソースエレメントREの全部又は一部を集約することにより取得され、第１の設定モードは、８個より多いCSI-RSポートのための設定モードであり、各CSI-RSポートとリソースエレメントREとの間の対応関係を含み、第２の設定モードは、８個のCSI-RSポートのための設定モードであり、各CSI-RSポートとリソースエレメントREとの間の対応関係を含み、送信機は、第１の設定モードを使用することによりCSI-RSをユーザ装置に送信するように構成される。
【００２３】
第５の態様を参照して、第５の態様の第１の可能な実現では、第１の設定モードにおいて１２個のCSI-RSポートが存在するときに、プロセッサは、ポート番号の順序に従って、第１の設定モードにおける最初の８個のCSI-RSポートが第２の設定モードのうちいずれか１つにおいて占有される全部のREを占有し、第１の設定モードにおける最後の４個のCSI-RSポートが１つ以上の他の第２の設定モードにおいて占有されるREの一部を占有すると決定するように具体的に構成される。
【００２４】
第５の態様を参照して、第５の態様の第２の可能な実現では、第１の設定モードにおいて１６個のCSI-RSポートが存在するときに、プロセッサは、ポート番号の順序に従って、第１の設定モードにおける最初の８個のCSI-RSポートが第２の設定モードのうちいずれか１つにおいて占有される全部のREを占有し、第１の設定モードにおける最後の８個のCSI-RSポートが他の第２の設定モードにおいて占有される全部のREを占有するか、或いは第１の設定モードにおける最後の８個のCSI-RSポートが複数の他の第２の設定モードにおいて占有されるリソースエレメントREの一部を占有すると決定するように具体的に構成される。
【００２５】
第５の態様を参照して、第５の態様の第３の可能な実現では、第１の設定モードにおいて１２個又は１６個のCSI-RSポートが存在するときに、プロセッサは、集約されておらず且つ時間ドメイン又は周波数ドメイン方向で複数のRPBペアにある第２の設定モードにおけるREの一部又は全部を決定し、集約されていないREの一部又は全部と第１の設定モードにおけるCSI-RSポートとの間の対応関係を確立するように具体的に構成される。
【００２６】
第５の態様〜第５の態様の第３の可能な実現を参照して、第５の態様の第４の可能な実現では、プロセッサは、時間ドメイン又は周波数ドメイン方向で複数のPRBペアに対応する第１の設定モードの総数量を決定するように更に構成される。
【００２７】
第６の態様によれば、本発明の実施例は、チャネル状態情報参照信号CSI-RSを送信するための装置を提供する。装置はユーザ装置であり、受信機とメモリとを含み、受信機は、基地局により第１の設定モードを使用することにより送信されたCSI-RSを受信するように構成され、メモリは、CSI-RSを記憶するように構成され、CSI-RSに使用される第１の設定モードは、基地局により１つの物理リソースブロックRPBペアに基づいて決定され、第１の設定モードにおいて占有されるリソースエレメントREは、CSI-RSに使用される少なくとも２つの第２の設定モードにおいて占有されるリソースエレメントREの全部又は一部を集約することにより取得され、第１の設定モードは、８個より多いCSI-RSポートのための設定モードであり、各CSI-RSポートとリソースエレメントREとの間の対応関係を含み、第２の設定モードは、８個のCSI-RSポートのための設定モードであり、各CSI-RSポートとリソースエレメントREとの間の対応関係を含む。
【００２８】
本発明の実施例は、チャネル状態情報参照信号CSI-RSを送信するための方法及び装置を提供する。方法は、基地局により、１つの物理リソースブロックPRBペアに基づいて、CSI-RSに使用される第１の設定モードを決定するステップであり、第１の設定モードにおいて占有されるリソースエレメントREは、CSI-RSに使用される少なくとも２つの第２の設定モードにおいて占有されるリソースエレメントREの全部又は一部を集約することにより取得され、第１の設定モードは、８個より多いCSI-RSポートのための設定モードであり、各CSI-RSポートとリソースエレメントREとの間の対応関係を含み、第２の設定モードは、８個のCSI-RSポートのための設定モードであり、各CSI-RSポートとリソースエレメントREとの間の対応関係を含むステップと、基地局により、第１の設定モードを使用することによりCSI-RSをユーザ装置に送信するステップとを含む。これは、システムスループットを改善しつつ、ユーザ端末が適時にCSI-RS信号を受信できることを確保し、それにより、チャネル推定効率を改善する。
【図面の簡単な説明】
【００２９】
本発明の実施例又は従来技術における技術的解決策をより明確に説明するために、以下に、実施例又は従来技術を説明するために必要な添付図面を簡単に説明する。明らかに、以下の説明における添付図面は、本発明の単にいくつかの実施例を示しているに過ぎず、当業者は、創造的取り組みなしに依然としてこれらの添付図面から他の図面を導き得る。
【図１】本発明の実施例によるチャネル状態情報参照信号CSI-RSを送信するための方法のフローチャートである。
【図２】従来技術によるLTE  Release  12における８個のCSI-RSポートに基づく１つのPRBペアに対応する５個の設定モードを示す。
【図３Ａ】本発明の実施例による１２個のCSI-RSポートに基づく１つのPRBペアに対応する設定モード1を示す。
【図３Ｂ】本発明の実施例による１２個のCSI-RSポートに基づく１つのPRBペアに対応する設定モード2を示す。
【図３Ｃ】本発明の実施例による１２個のCSI-RSポートに基づく１つのPRBペアに対応する設定モード3を示す。
【図３Ｄ】本発明の実施例による１２個のCSI-RSポートに基づく１つのPRBペアに対応する設定モード4を示す。
【図４Ａ】本発明の実施例による１６個のCSI-RSポートに基づく１つのPRBペアに対応する設定モード1を示す。
【図４Ｂ】本発明の実施例による１６個のCSI-RSポートに基づく１つのPRBペアに対応する設定モード2を示す。
【図５】本発明の実施例によるチャネル状態情報参照信号CSI-RSを送信するための装置の概略構成図である。
【図６】本発明の他の実施例によるチャネル状態情報参照信号CSI-RSを送信するための装置の概略構成図である。
【図７】本発明の更に他の実施例によるチャネル状態情報参照信号CSI-RSを送信するための装置の概略構成図である。
【図８】本発明の更に他の実施例によるチャネル状態情報参照信号CSI-RSを送信するための装置の概略構成図である。
【発明を実施するための形態】
【００３０】
以下に、本発明の実施例における添付図面を参照して、本発明の実施例における技術的解決策を明確且つ完全に説明する。明らかに、説明する実施例は、本発明の実施例の全てではなく単なる一部に過ぎない。創作的取り組みを行うことなく本発明の実施例に基づいて当業者により得られる全ての他の実施例は、本発明の保護範囲内に入るものとする。
【００３１】
LTE  Release  12システムのスループットを更に改善するために、CSI-RSポートの数量を増加することは、有効な手段である。図１は、本発明の実施例によるチャネル状態情報参照信号CSI-RSを送信するための方法のフローチャートである。本発明のこの実施例は、基地局のCSI-RSポートの数量が増加し、CSI-RSポートの増加した数量に基づく設定モードが現在決定されていないシナリオに適用される。本発明のこの実施例は、基地局により実行される。図１に示すように、方法は、以下の処理を具体的に含む。
【００３２】
S101.基地局は、１つの物理リソースブロックPRBペアに基づいて、CSI-RSに使用される第１の設定モードを決定し、第１の設定モードにおいて占有されるリソースエレメントREは、CSI-RSに使用される少なくとも２つの第２の設定モードにおいて占有されるリソースエレメントREの全部又は一部を集約することにより取得され、第１の設定モードは、８個より多いCSI-RSポートのための設定モードであり、各CSI-RSポートとリソースエレメントREとの間の対応関係を含み、第２の設定モードは、８個のCSI-RSポートのための設定モードであり、各CSI-RSポートとリソースエレメントREとの間の対応関係を含む。
【００３３】
S102.基地局は、第１の設定モードを使用することによりCSI-RSをユーザ装置に送信する。
【００３４】
図２は、従来技術によるLTE  Release  12における８個のCSI-RSポートに基づく１つのPRBペアに対応する５個の設定モードを示す。図２に示すように、１つのPRBペアは、時間ドメインで１つのサブフレームを占有し、各サブフレームは、通常のサイクリックプレフィクス、最初の７個の直交周波数分割多元接続（Orthogonal  Frequency  Division  Multiple  Access、略称OFDMA）シンボル及び最後の７個のOFDMAシンボルにそれぞれ対応する２つのタイムスロットslot0及びslot1を含む。図面において、同じパターンが同じ第２の設定モードを表すために使用され、
【数１】
0006630821.tif 000002
は、５つの第２の設定モードを表すために使用でき、これらの５つのパターンに対応するインデックス番号が0、1、2、3及び4であることが仮定される。図面の番号はポート番号を表す。
【００３５】
現在のLTEシステムの３次元マルチプルインプット・マルチプルアウトプット（Full-Dimension  Multiple  Input  Multiple  Output、略称FD-MIMO）のために、基地局のポートの数量は増加する必要がある。CSI-RSポートにより占有されるREの数量が増加し続け、他の参照信号がREを占有する場合が変更できない場合、データを送信するために使用されるREの数量が低減され、システムスループットが低減される。したがって、ポートの増加した数量に基づいて基地局により使用される設定モードにおいて占有されるREの数量は、８個のポートに基づいて基地局により使用される設定モードにおいて占有されるREの数量と同じに保持され、占有されるREの数量は更に増加しない。以下に、例として１２個のCSI-RSポート及び１６個のCSI-RSポートを使用することにより、説明を提供する。
【００３６】
１つの場合、第１の設定モードにおいて１２個のCSI-RSポートが存在するときに、基地局が１つのPRBペアに基づいて、CSI-RSに使用される第１の設定モードを決定することは、基地局が、ポート番号の順序に従って、第１の設定モードにおける最初の８個のCSI-RSポートが第２の設定モードのうちいずれか１つにおいて占有される全部のREを占有し、第１の設定モードにおける最後の４個のCSI-RSポートが１つ以上の他の第２の設定モードにおいて占有されるREの一部を占有すると決定することを含む。
【００３７】
図３Ａは、本発明の実施例による１２個のCSI-RSポートに基づく１つのPRBペアに対応する設定モード1を示す。図３Ａに示すように、1.１２個のCSI-RSポートに基づく第１の設定モードは、１２個のポートのうち最初の８個のポートが、現在第２の設定モード0における８個のポート0〜7により占有される全部のREを占有し、最後の４個のポートが第２の設定モード1において占有されるREを使用し、新たなポート8、9、10及び11がそれぞれ元の８個のポートのうちポート2、3、6及び7に対応していることでもよい。2.１２個のCSI-RSポートに基づく第１の設定モードは、１２個のポートのうち最初の８個のポートが、現在第２の設定モード3における８個のポート0〜7により占有される全部のREを占有し、最後の４個のポートが第２の設定モード4において占有されるREを使用し、新たなポート8、9、10及び11がそれぞれ元の８個のポートのうちポート0、1、4及び5に対応していることでもよい。3.１２個のCSI-RSポートに基づく第１の設定モードは、１２個のポートのうち最初の８個のポートが、現在第２の設定モード2における８個のポート0〜7により占有される全部のREを占有し、最後の４個のポートが第２の設定モード4において占有されるREを使用し、新たなポート8、9、10及び11がそれぞれ元の８個のポートのうちポート0、1、4及び5に対応していることでもよい。したがって、図３Ａでは、現在、１２個のCSI-RSポートに基づく３つの第１の設定モードが存在する。
【００３８】
図３Ｂは、本発明の実施例による１２個のCSI-RSポートに基づく１つのPRBペアに対応する設定モード2を示す。図３Ｂに示すように、1.１２個のCSI-RSポートに基づく第１の設定モードは、１２個のポートのうち最初の８個のポートが、現在第２の設定モード0における８個のポート0〜7により占有される全部のREを占有し、最後の４個のポートが第２の設定モード1において占有されるREを使用し、新たなポート8、9、10及び11がそれぞれ元の８個のポートのうちポート2、3、6及び7に対応していることでもよい。2.１２個のCSI-RSポートに基づく第１の設定モードは、１２個のポートのうち最初の８個のポートが、現在第２の設定モード2における８個のポート0〜7により占有される全部のREを占有し、最後の４個のポートが第２の設定モード4において占有されるREを使用し、新たなポート8、9、10及び11がそれぞれ元の８個のポートのうちポート0、1、4及び5に対応していることでもよい。3.１２個のCSI-RSポートに基づく第１の設定モードは、１２個のポートのうち最初の８個のポートが、現在第２の設定モード3における８個のポート0〜7により占有される全部のREを占有し、最後の４個のポートが第２の設定モード4において占有されるREを使用し、新たなポート8、9、10及び11がそれぞれ元の８個のポートのうちポート2、3、6及び7に対応していることでもよい。したがって、図３Ｂでは、現在、１２個のCSI-RSポートに基づく３つの第１の設定モードが存在する。
【００３９】
図３Ｃは、本発明の実施例による１２個のCSI-RSポートに基づく１つのPRBペアに対応する設定モード3を示す。図３Ｃに示すように、1.１２個のCSI-RSポートに基づく第１の設定モードは、１２個のポートのうち最初の８個のポートが、現在第２の設定モード0における８個のポート0〜7により占有される全部のREを占有し、最後の４個のポートが第２の設定モード1において占有されるREを使用し、新たなポート8、9、10及び11がそれぞれ元の８個のポートのうちポート2、3、6及び7に対応していることでもよい。2.１２個のCSI-RSポートに基づく第１の設定モードは、１２個のポートのうち最初の８個のポートが、現在第２の設定モード2における８個のポート0〜7により占有される全部のREを占有し、最後の４個のポートが第２の設定モード4において占有されるREを使用し、新たなポート8、9、10及び11がそれぞれ元の８個のポートのうちポート0、1、4及び5に対応していることでもよい。3.１２個のCSI-RSポートに基づく第１の設定モードは、１２個のポートのうち最初の８個のポートが、現在第２の設定モード3における８個のポート0〜7により占有される全部のREを占有し、最後の４個のポートが第２の設定モード4において占有されるREを使用し、新たなポート8、9、10及び11がそれぞれ元の８個のポートのうちポート2、3、6及び7に対応していることでもよい。したがって、図３Ｃでは、現在、１２個のCSI-RSポートに基づく３つの第１の設定モードが存在する。
【００４０】
図３Ｄは、本発明の実施例による１２個のCSI-RSポートに基づく１つのPRBペアに対応する設定モード4を示す。図３Ｄに示すように、1.１２個のCSI-RSポートに基づく第１の設定モードは、１２個のポートのうち最初の８個のポートが、現在第２の設定モード0における８個のポート0〜7により占有される全部のREを占有し、最後の４個のポートが第２の設定モード1において占有されるREを使用し、新たなポート8、9、10及び11がそれぞれ元の８個のポートのうちポート2、3、6及び7に対応していることでもよい。2.１２個のCSI-RSポートに基づく第１の設定モードは、１２個のポートのうち最初の８個のポートが、現在第２の設定モード2における８個のポート0〜7により占有される全部のREを占有し、最後の４個のポートが第２の設定モード4において占有されるREを使用し、新たなポート8、9、10及び11がそれぞれ元の８個のポートのうちポート2、3、6及び7に対応していることでもよい。3.１２個のCSI-RSポートに基づく第１の設定モードは、１２個のポートのうち最初の８個のポートが、現在第２の設定モード1における８個のポート0〜7により占有される全部のREを占有し、最後の４個のポートが第２の設定モード4において占有されるREを使用し、新たなポート8、9、10及び11がそれぞれ元の８個のポートのうちポート0、1、4及び5に対応していることでもよい。したがって、図３Ｄでは、現在、１２個のCSI-RSポートに基づく３つの第１の設定モードが存在する。
【００４１】
他の場合、第１の設定モードにおいて１６個のCSI-RSポートが存在するときに、基地局が１つのPRBペアに基づいて、CSI-RSに使用される第１の設定モードを決定することは、基地局が、ポート番号の順序に従って、第１の設定モードにおける最初の８個のCSI-RSポートが第２の設定モードのうちいずれか１つにおいて占有される全部のREを占有し、第１の設定モードにおける最後の８個のCSI-RSポートが他の第２の設定モードにおいて占有される全部のREを占有するか、或いは第１の設定モードにおける最後の８個のCSI-RSポートが複数の他の第２の設定モードにおいて占有されるリソースエレメントREの一部を占有すると決定することを含む。
【００４２】
図４Ａは、本発明の実施例による１６個のCSI-RSポートに基づく１つのPRBペアに対応する設定モード1を示す。図４Ａに示すように、1.１６個のCSI-RSポートに基づく第１の設定モードは、１２個のポートのうち最初の８個のポートが、現在第２の設定モード0における８個のポート0〜7により占有される全部のREを占有し、最後の８個のポートが第２の設定モード1において占有されるREを使用することでもよい。2.１６個のCSI-RSポートに基づく第１の設定モードは、１２個のポートのうち最初の８個のポートが、現在第２の設定モード3における８個のポート0〜7により占有される全部のREを占有し、最後の８個のポートが第２の設定モード4において占有されるREを使用することでもよい。したがって、図３Ａでは、現在、１２個のCSI-RSポートに基づく３つの第１の設定モードが存在する。
【００４３】
図４Ｂは、本発明の実施例による１６個のCSI-RSポートに基づく１つのPRBペアに対応する設定モード2を示す。図４Ｂに示すように、1.１６個のCSI-RSポートに基づく第１の設定モードは、１２個のポートのうち最初の８個のポートが、現在第２の設定モード0における８個のポート0〜7により占有される全部のREを占有し、最後の８個のポートが第２の設定モード1において占有されるREを使用することでもよい。2.１６個のCSI-RSポートに基づく第１の設定モードは、１２個のポートのうち最初の８個のポートが、現在第２の設定モード3における８個のポート0〜7により占有される全部のREを占有し、最後の８個のポートが第２の設定モード4において占有されるREを使用することでもよい。したがって、図３Ａでは、現在、１２個のCSI-RSポートに基づく３つの第１の設定モードが存在する。残りのREは、ポート8〜15に対応していてもよい。
【００４４】
任意選択で、第１の設定モードにおいて１２個又は１６個のCSI-RSポートが存在し、基地局が１つのPRBペアに基づいて、CSI-RSに使用される第１の設定モードを決定することは、以下の動作を含む。
【００４５】
基地局は、集約されておらず且つ時間ドメイン又は周波数ドメイン方向で複数のRPBペアにある第２の設定モードにおけるREの一部又は全部を決定し、集約されていないREの一部又は全部と第１の設定モードにおけるCSI-RSポートとの間の対応関係を確立する。
【００４６】
さらに、基地局は、時間ドメイン又は周波数ドメイン方向で複数のPRBペアに対応する第１の設定モードの総数量を決定する。
【００４７】
例えば、図３Ａ〜図３Ｃを参照して、基地局は、集約されておらず且つ３つのPRBペアにある第２の設定モードにおけるREを決定する。図３Ａでは、
【数２】
0006630821.tif 000003
に対応するREが集約されておらず、図３Ｂでは、
【数３】
0006630821.tif 000004
に対応するREが集約されておらず、図３Ｃでは、
【数４】
0006630821.tif 000005
に対応するREが集約されていない。したがって、集約されていないREの一部又は全部と各CSI-RSポートとの間の対応関係は、第１の設定モードとして確立されてもよい。最後に、図３Ａ〜図３Ｃのそれぞれにおいて、３つの第１の設定モードが存在することが決定される。図３Ａ〜図３Ｃを参照して、１つの第１の設定モードが存在する。したがって、３つのPRBペアに対応して合計で１０個の第１の設定モードが存在する。
【００４８】
他の例では、図４Ａ及び図４Ｂを参照して、基地局は、２つのPRBペアに対応する第２の設定モードにおいて集約されていないREを決定する。図４Ａでは、
【数５】
0006630821.tif 000006
に対応するREが集約されておらず、図４Ｂでは、
【数６】
0006630821.tif 000007
に対応するREが集約されていない。したがって、集約されていないREの一部又は全部と各CSI-RSポートとの間の対応関係は、第１の設定モードとして確立されてもよい。最後に、図４Ａ及び図４Ｂのそれぞれにおいて、２つの第１の設定モードが存在することが決定される。図４Ａ及び図４Ｂを参照して、１つの第１の設定モードが存在する。したがって、２つのPRBペアに対応して合計で５個の第１の設定モードが存在する。
【００４９】
本発明の実施例は、チャネル状態情報参照信号CSI-RSを送信するための方法を提供し、基地局により、１つの物理リソースブロックPRBペアに基づいて、CSI-RSに使用される第１の設定モードを決定するステップであり、第１の設定モードにおいて占有されるリソースエレメントREは、CSI-RSに使用される少なくとも２つの第２の設定モードにおいて占有されるリソースエレメントREの全部又は一部を集約することにより取得され、第１の設定モードは、８個より多いCSI-RSポートのための設定モードであり、各CSI-RSポートとリソースエレメントREとの間の対応関係を含み、第２の設定モードは、８個のCSI-RSポートのための設定モードであり、各CSI-RSポートとリソースエレメントREとの間の対応関係を含むステップと、基地局により、第１の設定モードを使用することによりCSI-RSをユーザ装置に送信するステップとを含む。本発明の実施例によれば、ポートの数量を増加することにより、システムスループットが改善され、本発明の実施例において、ポートの数量が１つのPRBペアに基づいて増加している。したがって、ユーザ端末が適時にCSI-RS信号を受信できることが確保され、それにより、チャネル評価効率を改善する。
【００５０】
本発明の他の実施例は、チャネル状態情報参照信号CSI-RSを送信するための方法を提供する。方法は、ユーザ装置により実行され、方法は、以下の処理を具体的に含む。ユーザ装置は、基地局により第１の設定モードを使用することにより送信されたCSI-RSを受信し、CSI-RSに使用される第１の設定モードは、基地局により１つの物理リソースブロックRPBペアに基づいて決定され、第１の設定モードにおいて占有されるリソースエレメントREは、CSI-RSに使用される少なくとも２つの第２の設定モードにおいて占有されるリソースエレメントREの全部又は一部を集約することにより取得され、第１の設定モードは、８個より多いCSI-RSポートのための設定モードであり、各CSI-RSポートとリソースエレメントREとの間の対応関係を含み、第２の設定モードは、８個のCSI-RSポートのための設定モードであり、各CSI-RSポートとリソースエレメントREとの間の対応関係を含む。
【００５１】
１つの場合、第１の設定モードにおいて１２個のCSI-RSポートが存在するときに、CSI-RSに使用される第１の設定モードが基地局により１つのPRBペアに基づいて決定されることは、基地局が、ポート番号の順序に従って、第１の設定モードにおける最初の８個のCSI-RSポートが第２の設定モードのうちいずれか１つにおいて占有される全部のREを占有し、第１の設定モードにおける最後の４個のCSI-RSポートが１つ以上の他の第２の設定モードにおいて占有されるREの一部を占有すると決定することを含む。
【００５２】
他の場合、第１の設定モードにおいて１６個のCSI-RSポートが存在するときに、CSI-RSに使用される第１の設定モードが基地局により１つのPRBペアに基づいて決定されることは、基地局が、ポート番号の順序に従って、第１の設定モードにおける最初の８個のCSI-RSポートが第２の設定モードのうちいずれか１つにおいて占有される全部のREを占有し、第１の設定モードにおける最後の８個のCSI-RSポートが他の第２の設定モードにおいて占有される全部のREを占有するか、或いは第１の設定モードにおける最後の８個のCSI-RSポートが複数の他の第２の設定モードにおいて占有されるリソースエレメントREの一部を占有すると決定することを含む。
【００５３】
任意選択で、第１の設定モードにおいて１２個又は１６個のCSI-RSポートが存在するときに、CSI-RSに使用される第１の設定モードが基地局により１つの物理リソースブロックPRBペアに基づいて決定されることは、基地局が、集約されておらず且つ時間ドメイン又は周波数ドメイン方向で複数のRPBペアにある第２の設定モードにおけるREの一部又は全部を決定し、集約されていないREの一部又は全部と第１の設定モードにおけるCSI-RSポートとの間の対応関係を確立することを含む。
【００５４】
本発明の実施例は、チャネル状態情報参照信号CSI-RSを送信するための方法を提供し、ユーザ装置により、基地局により第１の設定モードを使用することにより送信されたCSI-RSを受信するステップであり、CSI-RSに使用される第１の設定モードは、基地局により１つの物理リソースブロックRPBペアに基づいて決定され、第１の設定モードにおいて占有されるリソースエレメントREは、CSI-RSに使用される少なくとも２つの第２の設定モードにおいて占有されるリソースエレメントREの全部又は一部を集約することにより取得され、第１の設定モードは、８個より多いCSI-RSポートのための設定モードであり、各CSI-RSポートとリソースエレメントREとの間の対応関係を含み、第２の設定モードは、８個のCSI-RSポートのための設定モードであり、各CSI-RSポートとリソースエレメントREとの間の対応関係を含むステップを含む。本発明のこの実施例によれば、ポートの数量を増加することにより、システムスループットが改善され、本発明のこの実施例において、ポートの数量が１つのPRBペアに基づいて増加している。したがって、ユーザ端末が適時にCSI-RS信号を受信できることが確保され、それにより、チャネル評価効率を改善する。
【００５５】
図５は、本発明の実施例によるチャネル状態情報参照信号CSI-RSを送信するための装置の概略構成図である。装置は基地局であり、決定モジュール501と送信モジュール502とを含む。決定モジュール501は、１つの物理リソースブロックPRBペアに基づいて、CSI-RSに使用される第１の設定モードを決定するように構成され、第１の設定モードにおいて占有されるリソースエレメントREは、CSI-RSに使用される少なくとも２つの第２の設定モードにおいて占有されるリソースエレメントREの全部又は一部を集約することにより取得され、第１の設定モードは、８個より多いCSI-RSポートのための設定モードであり、各CSI-RSポートとリソースエレメントREとの間の対応関係を含み、第２の設定モードは、８個のCSI-RSポートのための設定モードであり、各CSI-RSポートとリソースエレメントREとの間の対応関係を含む。送信モジュール502は、第１の設定モードを使用することによりCSI-RSをユーザ装置に送信するように構成される。
【００５６】
１つの場合、第１の設定モードにおいて１２個のCSI-RSポートが存在するときに、決定モジュール501は、ポート番号の順序に従って、第１の設定モードにおける最初の８個のCSI-RSポートが第２の設定モードのうちいずれか１つにおいて占有される全部のREを占有し、第１の設定モードにおける最後の４個のCSI-RSポートが１つ以上の他の第２の設定モードにおいて占有されるREの一部を占有すると決定するように具体的に構成される。
【００５７】
他の場合、第１の設定モードにおいて１６個のCSI-RSポートが存在し、決定モジュール501は、ポート番号の順序に従って、第１の設定モードにおける最初の８個のCSI-RSポートが第２の設定モードのうちいずれか１つにおいて占有される全部のREを占有し、第１の設定モードにおける最後の８個のCSI-RSポートが他の第２の設定モードにおいて占有される全部のREを占有するか、或いは第１の設定モードにおける最後の８個のCSI-RSポートが複数の他の第２の設定モードにおいて占有されるリソースエレメントREの一部を占有すると決定するように具体的に構成される。
【００５８】
任意選択で、第１の設定モードにおいて１２個又は１６個のCSI-RSポートが存在するときに、決定モジュール501は、集約されておらず且つ時間ドメイン又は周波数ドメイン方向で複数のRPBペアにある第２の設定モードにおけるREの一部又は全部を決定し、集約されていないREの一部又は全部と第１の設定モードにおけるCSI-RSポートとの間の対応関係を確立するように具体的に構成される。
【００５９】
さらに、決定モジュール501は、時間ドメイン又は周波数ドメイン方向で複数のPRBペアに対応する第１の設定モードの総数量を決定するように更に構成される。
【００６０】
この実施例において提供されるチャネル状態情報参照信号CSI-RSを送信するための装置は、図１に対応する方法の実現の技術的解決策を実行するように構成され、その実現原理及び技術的効果は同様であり、詳細はここでは再び説明しない。
【００６１】
図６は、本発明の他の実施例によるチャネル状態情報参照信号CSI-RSを送信するための装置の概略構成図である。装置はユーザ装置であり、受信モジュール601と記憶モジュール602とを含む。受信モジュール601は、基地局により第１の設定モードを使用することにより送信されたCSI-RSを受信するように構成される。記憶モジュール602は、CSI-RSを記憶するように構成され、CSI-RSに使用される第１の設定モードは、基地局により１つの物理リソースブロックRPBペアに基づいて決定され、第１の設定モードにおいて占有されるリソースエレメントREは、CSI-RSに使用される少なくとも２つの第２の設定モードにおいて占有されるリソースエレメントREの全部又は一部を集約することにより取得され、第１の設定モードは、８個より多いCSI-RSポートのための設定モードであり、各CSI-RSポートとリソースエレメントREとの間の対応関係を含み、第２の設定モードは、８個のCSI-RSポートのための設定モードであり、各CSI-RSポートとリソースエレメントREとの間の対応関係を含む。
【００６２】
この実施例において提供されるチャネル状態情報参照信号CSI-RSを送信するための装置は、ユーザ装置に対応する方法の実現の技術的解決策を実行するように構成され、その実現原理及び技術的効果は同様であり、詳細はここでは再び説明しない。
【００６３】
図７は、本発明の更に他の実施例によるチャネル状態情報参照信号CSI-RSを送信するための装置の概略構成図である。装置は基地局であり、プロセッサ701と送信機702とを含む。プロセッサ701は、１つの物理リソースブロックPRBペアに基づいて、CSI-RSに使用される第１の設定モードを決定するように構成され、第１の設定モードにおいて占有されるリソースエレメントREは、CSI-RSに使用される少なくとも２つの第２の設定モードにおいて占有されるリソースエレメントREの全部又は一部を集約することにより取得され、第１の設定モードは、８個より多いCSI-RSポートのための設定モードであり、各CSI-RSポートとリソースエレメントREとの間の対応関係を含み、第２の設定モードは、８個のCSI-RSポートのための設定モードであり、各CSI-RSポートとリソースエレメントREとの間の対応関係を含む。送信機702は、第１の設定モードを使用することによりCSI-RSをユーザ装置に送信するように構成される。
【００６４】
或る場合、第１の設定モードにおいて１２個のCSI-RSポートが存在するときに、プロセッサ701は、ポート番号の順序に従って、第１の設定モードにおける最初の８個のCSI-RSポートが第２の設定モードのうちいずれか１つにおいて占有される全部のREを占有し、第１の設定モードにおける最後の４個のCSI-RSポートが１つ以上の他の第２の設定モードにおいて占有されるREの一部を占有すると決定するように具体的に構成される。
【００６５】
他の場合、第１の設定モードにおいて１６個のCSI-RSポートが存在するときに、プロセッサ701は、ポート番号の順序に従って、第１の設定モードにおける最初の８個のCSI-RSポートが第２の設定モードのうちいずれか１つにおいて占有される全部のREを占有し、第１の設定モードにおける最後の８個のCSI-RSポートが他の第２の設定モードにおいて占有される全部のREを占有するか、或いは第１の設定モードにおける最後の８個のCSI-RSポートが複数の他の第２の設定モードにおいて占有されるリソースエレメントREの一部を占有すると決定するように具体的に構成される。
【００６６】
任意選択で、第１の設定モードにおいて１２個又は１６個のCSI-RSポートが存在するときに、プロセッサ701は、集約されておらず且つ時間ドメイン又は周波数ドメイン方向で複数のRPBペアにある第２の設定モードにおけるREの一部又は全部を決定し、集約されていないREの一部又は全部と第１の設定モードにおけるCSI-RSポートとの間の対応関係を確立するように具体的に構成される。
【００６７】
さらに、プロセッサ701は、時間ドメイン又は周波数ドメイン方向で複数のPRBペアに対応する第１の設定モードの総数量を決定するように更に構成される。
【００６８】
この実施例において提供されるチャネル状態情報参照信号CSI-RSを送信するための装置は、図１に対応する方法の実現の技術的解決策を実行するように構成され、その実現原理及び技術的効果は同様であり、詳細はここでは再び説明しない。
【００６９】
図８は、本発明の更に他の実施例によるチャネル状態情報参照信号CSI-RSを送信するための装置の概略構成図である。装置はユーザ装置であり、受信機801とメモリ802とを含む。受信機801は、基地局により第１の設定モードを使用することにより送信されたCSI-RSを受信するように構成される。メモリ802は、CSI-RSを記憶するように構成される。CSI-RSに使用される第１の設定モードは、基地局により１つの物理リソースブロックRPBペアに基づいて決定される。第１の設定モードにおいて占有されるリソースエレメントREは、CSI-RSに使用される少なくとも２つの第２の設定モードにおいて占有されるリソースエレメントREの全部又は一部を集約することにより取得される。第１の設定モードは、８個より多いCSI-RSポートのための設定モードであり、各CSI-RSポートとリソースエレメントREとの間の対応関係を含む。第２の設定モードは、８個のCSI-RSポートのための設定モードであり、各CSI-RSポートとリソースエレメントREとの間の対応関係を含む。
【００７０】
この実施例において提供されるチャネル状態情報参照信号CSI-RSを送信するための装置は、ユーザ装置に対応する方法の実現の技術的解決策を実行するように構成され、その実現原理及び技術的効果は同様であり、詳細はここでは再び説明しない。
【００７１】
当業者は、方法の実施例のステップの全部又は一部が関係するハードウェアに命令するプログラムにより実現されてもよいことを理解し得る。プログラムは、コンピュータ読み取り可能媒体に記憶されてもよい。プログラムが動作するときに、方法の実施例のステップが実行される。前述の記憶媒体は、ROM、RAM、磁気ディスク又は光ディスクのようなプログラムコードを記憶できるいずれかの媒体を含む。
【００７２】
最後に、前述の実施例は、単に本発明の技術的解決策を説明することを意図するものに過ぎず、本発明を限定することを意図するものではない。本発明について前述の実施例を参照して詳細に説明したが、当業者は、本発明の実施例の技術的解決策の範囲を逸脱することなく、依然として前述の実施例に記載の技術的解決策に変更を行ってもよく、或いはその一部又は全部の技術的特徴に等価置換を行ってもよいことを理解すべきである。
【図１】
0006630821.tif 000008
【図２】
0006630821.tif 000009
【図３Ａ】
0006630821.tif 000010
【図３Ｂ】
0006630821.tif 000011
【図３Ｃ】
0006630821.tif 000012
【図３Ｄ】
0006630821.tif 000013
【図４Ａ】
0006630821.tif 000014
【図４Ｂ】
0006630821.tif 000015
【図５】
0006630821.tif 000016
【図６】
0006630821.tif 000017
【図７】
0006630821.tif 000018
【図８】
0006630821.tif 000019